(57)【特許請求の範囲】
【請求項１】
光入力端子（１）から入力された光信号を電気信号に変換する光電気変換器（２）、変換された電気信号を増幅する複数のアンプ（３）、分配端子（１３）等を備えたＣＡＴＶ用光／同軸幹線分配増幅器において、
最終段のアンプ（３）と同アンプの直後の分配器（１１）との間に同アンプ（３）によって増幅された信号の一部を分岐する分岐器（４）と、
分岐信号を減衰させる減衰器（１４）と、
それにより減衰された信号からＣ／Ｎ測定に必要な所望周波数帯域の信号を取り出す帯域フィルタ（５）と、
前記帯域フィルタ（５）により取り出された信号が入力されるＣ／Ｎ測定用端子（６）と、を設け、
前記Ｃ／Ｎ測定用端子（６）は同軸ケーブルを着脱可能であることを特徴とするＣ／Ｎ測定用端子付きのＣＡＴＶ用光／同軸幹線分配増幅器。
【発明の詳細な説明】
【０００１】
【発明の属する技術分野】
本発明はＣＡＴＶ網の幹線に接続されるＣＡＴＶ用光／同軸幹線分配増幅器に関するものであり、Ｃ／Ｎ測定用端子として利用するのに便利なものである。
【０００２】
【従来の技術】
従来のＣＡＴＶ用光／同軸幹線分配増幅器は、図２に示す様に光入力端子Ａから入力された光信号を電気変換する光電気変換器Ｂと、変換された電気信号を増幅する複数のアンプＣと、増幅された信号を分配する分配器Ｄと、フィルタＥと、複数の分配端子Ｆを備えており、それら分配端子（出力端子）Ｆには同軸ケーブルを着脱可能としてある。また、最終段のアンプＣと分配端子（出力端子）Ｆとの間に分岐器Ｇを設け、分岐器Ｇの分岐端子に減衰器（ＡＴＴ）Ｈを接続し、その出力側にモニタ端子Ｉが接続されている。
【０００３】
【発明が解決しようとする課題】
従来のＣＡＴＶ用光／同軸幹線分配増幅器には次のような課題があった。
１．モニタ端子Ｉのレベルは分岐器Ｇの結合損失（通常１４ｄＢ程度）と、減衰器（ＡＴＴ）Ｈの減衰量（通常６ｄＢ程度）の和の分（通常２０ｄＢ程度）だけ、分配端子Ｆの出力レベルよりも低くなっている。そのためモニタ端子Ｉを利用してＣ／Ｎ(Carrier/Noise) 測定をすることは難しい。そこで従来はＣ／Ｎ測定の場合はモニタ端子Ｉを使用せずに出力端子Ｆを使用している。この場合、空いている出力端子ＦがあればそれにＣ／Ｎ測定用のケーブルを接続することができるが、空いている出力端子がない場合は、いずれかの出力端子Ｆに接続されている伝送用ケーブルを取り外し、そこにＣ／Ｎ測定用ケーブルを付け替えてＣ／Ｎ測定しなければならず、手間と時間が掛かっていた。
２．Ｃ／Ｎ測定前に出力端子Ｆに接続されている伝送用ケーブルを取り外したり、Ｃ／Ｎ測定後に出力端子Ｆに伝送用ケーブルを接続したりする場合、専門の工事業者でないと、伝送用ケーブルの中心導体が曲がったり、折れたりして破損することがあった。そのため、伝送用ケーブルの取り外し、接続は専門の工事業者に依頼しているのが実情である。そのため手続が面倒であったり、工事業者の都合によってはＣ／Ｎ測定が遅れることもあった。
３．Ｃ／Ｎ測定する度に反射防止用の６ｄＢ減衰器、帯域フィルタ、増幅器、スペクトラムアナライザ等の機器を用意しなくてはならず面倒であった。
【０００４】
【課題を解決するための手段】
本発明の目的は前記諸問題を解決することにあり、そのため何時でもＣ／Ｎ測定用ケーブルを接続可能な専用端子を備えたＣＡＴＶ用光／同軸幹線分配増幅器を提供することにある。
【０００５】
本発明のＣ／Ｎ測定用端子付きのＣＡＴＶ用光／同軸幹線分配増幅器は、光入力端子から入力された光信号を電気信号に変換する光電気変換器、変換された電気信号を増幅する複数のアンプ、分配端子等を備えたＣＡＴＶ用光／同軸幹線分配増幅器において、最終段のアンプと同アンプの直後の分配器との間に、同アンプによって増幅された信号の一部を分岐する分岐器と、分岐信号を減衰させる減衰器と、それにより減衰された信号からＣ／Ｎ測定に必要な所望周波数帯域の信号を取り出す帯域フィルタと、この帯域フィルタにより取り出された信号が入力されるＣ／Ｎ測定用端子とを設けたものである。また、このＣ／Ｎ測定用端子は、同軸ケーブルを着脱可能であることに特徴がある。
【０００６】
【発明の実施の形態】
本発明のＣ／Ｎ測定用端子付きのＣＡＴＶ用光／同軸幹線分配増幅器の実施形態を図１に基づいて説明する。図１に示すものは光ケーブルを着脱可能な光入力端子１の後段に光電気変換器２が設けられ、その後段に電気信号を増幅するアンプ３が複数設けられ、最終段のアンプ３の後に前段の分配器１１が接続され、その後に後段の分配器１２が接続され、後段の分配器１２の出力端に同軸ケーブルを着脱可能な４つの出力端子（分配端子）１３が接続されている。最終段のアンプ３と前段の分配器１１との間には分岐器４が接続され、その分岐端子に減衰器（ＡＴＴ）１４が接続され、その後に帯域フィルタ（ＢＰＦ）５が接続され、それに測定用の同軸ケーブルを着脱可能な測定用端子６が設けられている。また前記分配器１２と出力端子１３との間にモニタ出力用の分岐器１５を設け、その分岐器１５の分岐端子に減衰器（ＡＴＴ）１６が接続され、その出力側にモニタ端子１７が接続されている。前記光入力端子１及び測定用端子６は筐体内部に設けられ、同筐体の蓋を開けて光入力端子１に光ケーブル１０を、測定用端子６に測定用ケーブルを夫々着脱することができるようにしてある。また、出力端子１３及びモニタ端子１７は筐体の外部から必要なケーブルを着脱できるように筐体の外部に臨ませてパネルに取り付けてある。
【０００７】
図１のＣＡＴＶ用光／同軸幹線分配増幅器では、ヘッドエンドの光送信機から光ケーブル１０により伝送されてくる光信号は光入力端子１に入力され、光電気変換器２により電気信号に変換され、複数段のアンプ３により増幅され、前段の分配器１１により２分配され、更に、後段の分配器１２により２分配されて出力端子１３に出力される。
【０００８】
図１の最終段のアンプ３からの出力は分岐器４により一部が取り出され、減衰器（ＡＴＴ）１４に入力されて所定レベルに減衰される。減衰器１４からの出力信号は帯域フィルタ（ＢＰＦ）５に入力され、そこでＣ／Ｎ測定に必要な所望周波数帯域の信号が取り出されて測定用端子６に入力される。前記減衰器１４は入力された信号を６ｄＢ減衰させて信号の反射を防止するためのものであり、前記フィルタ５はパイロット信号（４５１．２５ＭＨｚ）を取り出すことができるようにしてある。測定用端子６は使用しないときはダミーで終端させておくことが望ましい。
【０００９】
図１のＣＡＴＶ用光／同軸幹線分配増幅器においてＣ／Ｎを測定するには、測定用端子６に測定機器、例えば、スペクトラムアナライザのケーブルを接続し、それを用いてＣ／Ｎ測定を行なう。Ｃ／Ｎ以外の測定を行なう場合は、測定に必要な測定用機器を測定用端子６に接続すればよい。
【００１０】
【発明の効果】
本件発明のＣ／Ｎ測定用端子付きのＣＡＴＶ用光／同軸幹線分配増幅器は、最終段のアンプの後にそれによって増幅された信号の一部を分岐する分岐器と、分岐器によって分岐された信号を減衰する減衰器と、減衰器によって減衰された信号のうち必要帯域の信号のみを取り出すフィルタと、フィルタによって取り出された信号を出力可能な測定用端子とを設けたので、次の様な効果を有する。
１．測定用端子に測定用ケーブルを介して測定機器を接続するだけで、Ｃ／Ｎ測定を始めとして各種測定が可能となる。
２．従来、測定の度に用意していた減衰器や帯域フィルタを用意する必要がない。
３．測定用端子が専用に設けられているため、従来のように出力端子に接続されている伝送用ケーブルを取り外して、当該出力端子に測定用ケーブルを接続する必要がない。このため工事業者に伝送用ケーブルの着脱を依頼する必要も面倒もない。また、伝送用ケーブルの中心導体が損傷することもない。
【図面の簡単な説明】
【図１】  本発明のＣ／Ｎ測定用端子付きのＣＡＴＶ用光／同軸幹線分配増幅器の実施形態の一例を示すブロック図。
【図２】  従来のＣＡＴＶ用光／同軸幹線分配増幅器の実施形態の一例を示すブロック図。
【符号の説明】
１  光入力端子
２  光電気変換器
３  アンプ
４  分岐器
５  フィルタ
６  測定用端子
【図１】
0004166893.tif 000002
【図２】
0004166893.tif 000003